(57)【要約】【課題】直感的な操作によって、ある表示媒体に表示していた情報を別の表示媒体に表示すること。【解決手段】本発明の表示装置は、表示部と、前記表示部面上の接触位置を検知するセンサと、を有する表示媒体と、複数の前記表示媒体を重ねた多層構造として配置し、各表示媒体の端部を、保持する保持部と、前記複数の表示部に表示する情報を記憶する記憶部と、前記複数の表示部に表示する情報を変更する制御部と、を有する。前記制御部は、一のセンサから、前記一のセンサに対応する第１の表示媒体にて情報の移動指示操作が検知されたことを示す所定の検知情報と、他のセンサから、前記他のセンサに対応する第２の表示媒体にて情報の表示指示操作が行われたことを示す所定の検知情報を受けると、前記第１の表示媒体の有する表示部に表示されていた情報を、前記第２の表示媒体または前記第２の表示媒体に応じた第３の表示媒体の有する表示部に表示する。【選択図】図２
2013068865.tif 000002
【特許請求の範囲】
【請求項１】
表示部と、前記表示部面上の接触位置を検知するセンサと、を有する表示媒体と、
複数の前記表示媒体を重ねた多層構造として配置し、各表示媒体の端部を、保持する保持部と、
前記複数の表示部に表示する情報を記憶する記憶部と、
前記複数の表示部に表示する情報を変更する制御部と、を有し、
前記制御部は、
一のセンサから、前記一のセンサに対応する第１の表示媒体にて情報の移動指示操作が検知されたことを示す所定の検知情報と、他のセンサから、前記他のセンサに対応する第２の表示媒体にて情報の表示指示操作が行われたことを示す所定の検知情報を受けると、前記第１の表示媒体の有する表示部に表示されていた情報を、前記第２の表示媒体または前記第２の表示媒体に応じた第３の表示媒体の有する表示部に表示する、表示装置。
【請求項２】
前記表示部は、前記表示媒体の表面、裏面の少なくとも１面の上に配置されている、請求項１に記載の表示装置。
【請求項３】
前記保持部は、前記複数の表示媒体をそれぞれ見開き可能に保持する、請求項１または２に記載の表示装置。
【請求項４】
前記制御部は、
前記第２の表示媒体の有する表示部に、前記第１の表示媒体の有する表示部に表示されていた情報を表示し、
前記第１の表示媒体の有する表示部に、前記第２の表示媒体の有する表示部に表示されていた情報を表示する、請求項１から３のいずれか１項に記載の表示装置。
【請求項５】
前記制御部は、
前記第２の表示媒体の有する表示部に、前記第１の表示媒体の有する表示部に表示されていた情報を表示し、
前記第１の表示媒体の下層側に前記第２の表示媒体が位置する場合、該第１の表示媒体の下層に位置する表示媒体から該第２の表示媒体までの各表示媒体の有する表示部に表示されていた情報を、それぞれその上層に位置する表示媒体の有する表示部に表示し、また、前記第１の表示媒体の上層側に前記第２の表示媒体が位置する場合、該第１の表示媒体の上層に位置する表示媒体から該第２の表示媒体までの各表示媒体の有する表示部に表示されていた情報を、それぞれその下層に位置する表示媒体の有する表示部に表示する、請求項１から３のいずれか１項に記載の表示装置。
【請求項６】
前記制御部は、
前記第２の表示媒体の上層または下層に位置する前記第３の表示媒体の有する表示部に、前記第１の表示媒体の有する表示部に表示されていた情報を表示し、
前記第１の表示媒体の下層側に前記第３の表示媒体が位置する場合、該第１の表示媒体の下層に位置する表示媒体から該第３の表示媒体までの各表示媒体の有する表示部に表示されていた情報を、それぞれその上層に位置する表示媒体の有する表示部に表示し、また、前記第１の表示媒体の上層側に前記第３の表示媒体が位置する場合、該第１の表示媒体の上層に位置する表示媒体から該第３の表示媒体までの各表示媒体の有する表示部に表示されていた情報を、それぞれその下層に位置する表示媒体の有する表示部に表示する、請求項１から３のいずれか１項に記載の表示装置。
【請求項７】
前記制御部は、
前記第１の表示媒体にて前記移動指示が行われてから、前記第２の表示媒体にて前記表示指示が行われるまでの期間に、前記第１の表示媒体の有する表示部に所定の情報を表示する、請求項１から６のいずれか１項に記載の表示装置。
【請求項８】
前記所定の情報は、グレー画像である、請求項７に記載の表示装置。
【請求項９】
前記移動指示操作は、前記第１の表示媒体の表示面および背面へ接触または押圧しつつ前記第１の表示媒体の中心とは略反対方向に向かって移動する操作であり、
前記表示指示操作は、前記第２の表示媒体の表示面および背面へ接触または押圧しつつ前記第２の表示媒体の略中心方向に向かって移動する操作である、請求項１から８のいずれか１項に記載の表示装置。
【請求項１０】
表示部と、前記表示部面上の接触位置を検知するセンサと、を有する表示媒体と、
複数の前記表示媒体を重ねた多層構造として配置し、各表示媒体の端部を、保持する保持部と、を有する表示装置による表示方法であって、
一のセンサが、前記一のセンサに対応する第１の表示媒体にて情報の移動指示操作が検知されたことを示す所定の検知情報を出力し、
他のセンサが、前記他のセンサに対応する第２の表示媒体にて情報の表示指示操作が行われたことを示す所定の検知情報を出力し、
前記一のセンサおよび前記他のセンサの各々から前記検知情報が出力されると、前記第１の表示媒体の有する表示部に表示されていた情報を、前記第２の表示媒体または前記第２の表示媒体に応じた第３の表示媒体の有する表示部に表示する、表示方法。
【請求項１１】
表示部と、前記表示部面上の接触位置を検知するセンサと、を有する表示媒体と、
複数の前記表示媒体を重ねた多層構造として配置し、各表示媒体の端部を、保持する保持部と、を有する表示装置による表示方法であって、
一のセンサが、前記一のセンサに対応する第１の表示媒体にて情報の移動指示操作が検知されたことを示す所定の検知情報を出力し、
他のセンサが、前記他のセンサに対応する第２の表示媒体にて情報の表示指示操作が行われたことを示す所定の検知情報を出力し、
前記一のセンサおよび前記他のセンサの各々から前記検知情報が出力されると、前記第１の表示媒体の有する表示部に表示されていた情報を、前記第２の表示媒体または前記第２の表示媒体に応じた第３の表示媒体の有する表示部に表示する手順と、を実行させるためのプログラム。
【発明の詳細な説明】
【技術分野】
【０００１】
本発明は、情報を表示する表示装置、表示方法およびプログラムに関する。
【背景技術】
【０００２】
近年、情報を表示する表示装置として、複数の薄い表示媒体から構成され、複数の表示媒体の各々に情報を表示するものが提案されている（例えば、特許文献１参照。）。
【０００３】
なお、本明細書では、表示装置を閉じた状態で一番上位にある表示媒体、または、操作者に面して一番上位にある表示媒体を最上層とし、逆方向にある表示媒体を下層にあると定義する。
【先行技術文献】
【特許文献】
【０００４】
【特許文献１】特開２００３−５８０８１号公報
【発明の概要】
【発明が解決しようとする課題】
【０００５】
ところで、特許文献１に開示された表示装置においては、複数の表示媒体のうちの１つの表示媒体にボタンが設けられており、このボタンの押下により操作が行われる。
【０００６】
そのため、特許文献１に開示された表示装置においては、ある表示媒体に表示していた情報を別の表示媒体に表示したい場合、その操作を上記のボタンの押下により行う必要があり、直感的な操作でなく操作が煩雑になるという問題点がある。
【０００７】
そこで、本発明の目的は、上述した課題を解決することができる表示装置、表示方法およびプログラムを提供することにある。
【課題を解決するための手段】
【０００８】
本発明の表示装置は、
表示部と、前記表示部面上の接触位置を検知するセンサと、を有する表示媒体と、
複数の前記表示媒体を重ねた多層構造として配置し、各表示媒体の端部を、保持する保持部と、
前記複数の表示部に表示する情報を記憶する記憶部と、
前記複数の表示部に表示する情報を変更する制御部と、を有し、
前記制御部は、
一のセンサから、前記一のセンサに対応する第１の表示媒体にて情報の移動指示操作が検知されたことを示す所定の検知情報と、他のセンサから、前記他のセンサに対応する第２の表示媒体にて情報の表示指示操作が行われたことを示す所定の検知情報を受けると、前記第１の表示媒体の有する表示部に表示されていた情報を、前記第２の表示媒体または前記第２の表示媒体に応じた第３の表示媒体の有する表示部に表示する。
【０００９】
本発明の表示方法は、
表示部と、前記表示部面上の接触位置を検知するセンサと、を有する表示媒体と、
複数の前記表示媒体を重ねた多層構造として配置し、各表示媒体の端部を、保持する保持部と、を有する表示装置による表示方法であって、
一のセンサが、前記一のセンサに対応する第１の表示媒体にて情報の移動指示操作が検知されたことを示す所定の検知情報を出力し、
他のセンサが、前記他のセンサに対応する第２の表示媒体にて情報の表示指示操作が行われたことを示す所定の検知情報を出力し、
前記一のセンサおよび前記他のセンサの各々から前記検知情報が出力されると、前記第１の表示媒体の有する表示部に表示されていた情報を、前記第２の表示媒体または前記第２の表示媒体に応じた第３の表示媒体の有する表示部に表示する。
【００１０】
本発明のプログラムは、
表示部と、前記表示部面上の接触位置を検知するセンサと、を有する表示媒体と、
複数の前記表示媒体を重ねた多層構造として配置し、各表示媒体の端部を、保持する保持部と、を有する表示装置に、
一のセンサが、前記一のセンサに対応する第１の表示媒体にて情報の移動指示操作が検知されたことを示す所定の検知情報を出力する手順と、
他のセンサが、前記他のセンサに対応する第２の表示媒体にて情報の表示指示操作が行われたことを示す所定の検知情報を出力する手順と、
前記一のセンサおよび前記他のセンサの各々から前記検知情報が出力されると、前記第１の表示媒体の有する表示部に表示されていた情報を、前記第２の表示媒体または前記第２の表示媒体に応じた第３の表示媒体の有する表示部に表示する手順と、を実行させる。
【発明の効果】
【００１１】
本発明によれば、直感的な操作によって、第１の表示媒体に表示していた情報を、第２の表示媒体または第２の表示媒体に応じた表示媒体に表示することができるという効果が得られる。
【図面の簡単な説明】
【００１２】
【図１】本発明の一実施形態の表示装置の外観図である。
【図２】図１に示した表示装置の機能ブロック図である。
【図３】図１に示した各表示媒体に対する第１の操作と第２の操作とを説明する図である。
【図４】図２に示した記憶部が記憶するテーブルを示す図である。
【図５】図１に示した表示装置の動作例１の流れを説明するフローチャートである。
【図６】図１に示した表示装置の動作例１の具体例を説明する図である。
【図７】図１に示した表示装置の動作例２の流れを説明するフローチャートである。
【図８】図１に示した表示装置の動作例２の具体例を説明する図である。
【図９】図１に示した表示装置の動作例３の流れを説明するフローチャートである。
【図１０Ａ】図１に示した表示装置の動作例３の具体例を説明する図である。
【図１０Ｂ】図１に示した表示装置の動作例３の具体例を説明する図である。
【発明を実施するための形態】
【００１３】
以下に、本発明を実施するための形態について図面を参照して説明する。
（１）本実施形態の構成
図１は、本実施形態の表示装置１の外観図である。
【００１４】
図１に示すように、本実施形態の表示装置１は、階層的に配置した表示媒体１０−１〜１０−４（以下、どの表示媒体か特定しないときは表示媒体１０と称す）と、表示媒体１０−１〜１０−４の端部を保持する保持部２０と、を有している。
【００１５】
なお、図１においては、表示媒体１０が４つである場合を例に挙げて示しているが、表示媒体１０の数は２つ以上であれば良い。また、保持部２０は、表示媒体１０を個別に着脱可能な構造としてもよいし、他の表示媒体１０を追加して保持することも可能である。
【００１６】
表示媒体１０−１〜１０−４は、画像や文字等の情報を表示する表示媒体であり、例えば、電子ペーパー等である。
【００１７】
表示媒体１０に利用される素材が、ある程度の変形を許容するものであれば、当該表示媒体のしなりにより、各表示媒体をページめくり閲覧が可能である。
【００１８】
また、各表示媒体１０毎のページめくりを容易化させるために、保持部２０において、各表示媒体１０を開閉可能に保持する構造を取ってもよい。
【００１９】
図２は、本実施形態の表示装置１の機能ブロック図である。
【００２０】
図２に示すように、本実施形態の表示装置は、表示媒体１０−１〜１０−４と、記憶部３０と、制御部４０と、を有している。なお、記憶部３０および制御部４０は、図１に示した保持部２０の内部に設けられている。
【００２１】
表示媒体１０は、記憶部３０や外部の通信ネットワークを介して取得した情報を表示可能な表示部を備えており、当該表示部は、各表示媒体１０の表面、背面の少なくとも１つの面上に実装することが可能である。
【００２２】
また、表示媒体１０−１〜１０−４は、センサ１１を備えている。
【００２３】
センサ１１は、表示媒体１０の表面および裏面への接触、さらには接触された位置を検知する接触センサで構成することができる。なお、接触センサは、表面用と裏面用とで別々に設けることができる。
【００２４】
また、センサ１１は、上述した接触センサに、表示媒体１０の表面および背面への押圧を検知する圧力センサを追加することができる。なお、圧力センサは、表面用と裏面用とで別々に設けることができる。
【００２５】
ここで、センサ１１が検知する所定の操作について、表示媒体１０−４を例に挙げて、図３を参照して説明する。なお、図３は、表示装置１を図１のＸ側から見た側面図に相当する。
【００２６】
第１に、センサ１１は、表示媒体１０−４をつまんで取り出すような操作（以下、第１の操作と称す）を検知する。第１の操作は、表示媒体１０−４の表面および裏面へ接触または押圧を検知しつつ、当該検知している領域が表示媒体１０−４の中心とは略反対方向に向かって移動する操作として検知することができる。第１の操作は、情報の移動指示操作に対応し、センサ１１は、第１の操作を検知すると、第１の操作が検知されたことを示す検知情報を、制御部４０に出力する。
【００２７】
第２に、センサ１１は、表示媒体１０−４をつまんで元に戻すような操作（以下、第２の操作と称す）を検知する。第２の操作は、操作者の指が表示媒体１０−４の表示面および背面へ接触または押圧しつつ、表示媒体１０−４の略中心方向に向かって移動する操作として検知することができる。第２の操作は、情報の表示指示操作に対応し、センサ１１は、第２の操作を検知すると、第２の操作が検知されたことを示す検知情報を、制御部４０に出力する。
【００２８】
記憶部３０は、表示媒体１０−１〜１０−４の有する表示部に表示する（以下、単に、「表示媒体１０−１〜１０−４に表示する」と称す）情報を記憶する。
【００２９】
なお、記憶部３０は、図４に示すように、表示媒体１０−１〜１０−４毎に、その表示媒体１０が表示している情報と、その表示媒体１０にて第１の操作が行われたか否かを表すフラグと、が登録されたテーブルを記憶する。
【００３０】
制御部４０は、表示媒体１０−１〜１０−４に表示する情報を変更する。
【００３１】
本実施形態においては、制御部４０は、表示媒体１０−１〜１０−４のうちのいずれかの表示媒体（第１の表示媒体）１０に対応するセンサ１１から、第１の操作が検知されたことを示す検知情報が出力され、その後に、表示媒体１０−１〜１０−４のうちのいずれかの表示媒体（第２の表示媒体）１０に対応するセンサ１１から、第２の操作が検知されたことを示す検知情報が出力された場合、第１の表示媒体１０に表示されていた情報を、第２の表示媒体１０または第２の表示媒体１０に応じた表示媒体１０（第３の表示媒体）に表示する。
【００３２】
そのため、操作者は、特許文献１のようにボタン押下による煩雑な操作をしなくても、第１の表示媒体１０および第２の表示媒体１０に対する接触という直感的な操作によって、第１の表示媒体１０に表示していた情報を、第２の表示媒体１０または第２の表示媒体１０に応じた第３の表示媒体１０に表示することができる。
（２）本実施形態の動作
以下、本実施形態の表示装置１の動作について説明する。
（２−１）動作例１
図５は、本実施形態の表示装置１の動作例１の流れを説明するフローチャートである。
【００３３】
図５に示すように、まず、制御部４０は、センサ１１が表示媒体１０−１〜１０−４のいずれかで第１の操作を検知したかを判断する（ステップＳ１１）。
【００３４】
ステップＳ１１において、第１の表示媒体１０で第１の操作が検知された場合（ステップＳ１１のＹｅｓ）、制御部４０は、記憶部３０に記憶されたテーブルにおいて、第１の表示媒体１０のフラグをＯＮにする（ステップＳ１２）。
【００３５】
このとき、第１の表示媒体１０に表示されている表示情報が、抜き出しを示す選択がなされている旨の所定の情報を表示してもよい。
【００３６】
次に、制御部４０は、センサ１１が表示媒体１０−１〜１０−４のいずれかで第２の操作を検知したかを判断する（ステップＳ１３）。
【００３７】
ステップＳ１３において、第２の表示媒体１０で第２の操作が検知された場合（ステップＳ１３のＹｅｓ）、制御部４０は、記憶部３０に記憶されたテーブルを参照して、フラグがＯＮになっている第１の表示媒体１０を特定する（ステップＳ１４）。この状態は、ページの入れ替えを示す状態である。
【００３８】
次に、制御部４０は、表示媒体１０同士における表示情報の入れ替え指定であることより、記憶部３０に記憶されたテーブルを参照して、第１の表示媒体１０に表示されていた情報を記憶部３０から読み出し第２の表示媒体１０に表示すると共に（ステップＳ１５）、第２の表示媒体１０に表示されていた情報を記憶部３０から読み出し第１の表示媒体１０に表示する（ステップＳ１６）。
【００３９】
その後、制御部４０は、記憶部３０に記憶されたテーブルを更新する（ステップＳ１７）。すなわち、制御部４０は、テーブル上で、第１の表示媒体１０および第２の表示媒体１０毎に、ステップＳ１５，Ｓ１６で新たに表示した情報を登録し、また、第１の表示媒体１０のフラグをＯＦＦにする。
【００４０】
このように、動作例１においては、操作者が第１の表示媒体１０で第１の操作をし、第１の表示媒体１０とは異なる第２の表示媒体１０で第２の操作をした場合、第１の表示媒体１０および第２の表示媒体１０にそれぞれ表示していた情報を入れ替えることができる。
【００４１】
なお、第１の表示媒体１０および第２の表示媒体１０が同じ表示媒体１０である場合は、その表示媒体１０に元々表示されていた情報が再度表示されることになる。
【００４２】
以下、動作例１の具体例について、図６を参照して説明する。なお、図６の各状態において、上側の図面は、表示媒体１０−１〜１０−４を図１のＸ側から見た場合の概念図であり、下側の図面は、記憶部３０に記憶されたテーブルの内容を示す図面である（以下の図８、図１０Ａおよび図１０Ｂにおいて同じ）。
【００４３】
図６に示すように、状態Ｘ１では、表示媒体１０−１，１０−２，１０−３，１０−４には、それぞれ情報Ａ，Ｂ，Ｃ，Ｄが表示されている。この状態で、表示媒体１０−１にて第１の操作が行われると、制御部４０は、テーブル上の表示媒体１０−１のフラグをＯＮにする。
【００４４】
続く状態Ｘ２では、表示媒体１０−３にて第２の操作が行われている。このとき、テーブル上の表示媒体１０−１のフラグがＯＮになっている。
【００４５】
そのため、続く状態Ｘ３では、制御部４０は、表示媒体１０−１に表示されていた情報Ａを表示媒体１０−３に表示すると共に、表示媒体１０−３に表示されていた情報Ｃを表示媒体１０−１に表示する。また、制御部４０は、テーブル上で、表示媒体１０−１には情報Ｃを登録すると共に、表示媒体１０−３には情報Ａを登録し、表示媒体１０−１のフラグをＯＦＦにする。
（２−２）動作例２
図７は、本実施形態の表示装置１の動作例２の流れを説明するフローチャートである。
【００４６】
図７に示すように、まず、制御部４０は、センサ１１が表示媒体１０−１〜１０−４のいずれかで第１の操作を検知したかを判断する（ステップＳ２１）。
【００４７】
ステップＳ２１において、第１の表示媒体１０で第１の操作が検知された場合（ステップＳ２１のＹｅｓ）、制御部４０は、記憶部３０に記憶されたテーブルにおいて、第１の表示媒体１０のフラグをＯＮにする（ステップＳ２２）。
【００４８】
次に、制御部４０は、センサ１１が表示媒体１０−１〜１０−４のいずれかで第２の操作を検知したかを判断する（ステップＳ２３）。
【００４９】
ステップＳ２３において、第２の表示媒体１０で第２の操作が検知された場合（ステップＳ２３のＹｅｓ）、制御部４０は、記憶部３０に記憶されたテーブルを参照して、フラグがＯＮになっている第１の表示媒体１０を特定する（ステップＳ２４）。
【００５０】
次に、制御部４０は、記憶部３０に記憶されたテーブルを参照して、第１の表示媒体１０に表示されていた情報を記憶部３０から読み出し、第２の表示媒体１０に表示する（ステップＳ２５）。
【００５１】
次に、制御部４０は、第１の表示媒体１０の下層側に第２の表示媒体１０が位置していれば、第１の表示媒体１０の下層に位置する表示媒体１０から第２の表示媒体１０までの各表示媒体１０に表示されていた情報を、それぞれその上層に位置する表示媒体１０に表示する。また、制御部４０は、第１の表示媒体１０の上層側に第２の表示媒体１０が位置していれば、第１の表示媒体１０の上層に位置する表示媒体１０から第２の表示媒体１０までの各表示媒体１０に表示されていた情報を、それぞれその下層に位置する表示媒体１０に表示する（ステップＳ２６）。
【００５２】
その後、制御部４０は、記憶部３０に記憶されたテーブルを更新する（ステップＳ２７）。すなわち、制御部４０は、テーブル上で、第１の表示媒体１０から第２の表示媒体１０までの各表示媒体１０に、ステップＳ２５，Ｓ２６で新たに表示した情報を登録し、また、第１の表示媒体１０のフラグをＯＦＦにする。
【００５３】
このように、動作例２においては、操作者が第１の表示媒体１０で第１の操作をし、第１の表示媒体１０とは異なる第２の表示媒体１０で第２の操作をした場合、第１の表示媒体１０に表示していた情報を第２の表示媒体１０に移動させることができる。さらに、第２の表示媒体１０に表示されていた情報と第２の表示媒体１０の上層側または下層側に位置する各表示媒体１０に表示されていた情報を、それぞれその上層または下層に位置する表示媒体１０にずらすことができる。
【００５４】
以下、動作例２の具体例について、図８を参照して説明する。
【００５５】
図８に示すように、状態Ｙ１では、表示媒体１０−１，１０−２，１０−３，１０−４には、それぞれ情報Ａ，Ｂ，Ｃ，Ｄが表示されている。この状態で、表示媒体１０−１にて第１の操作が行われると、制御部４０は、テーブル上の表示媒体１０−１のフラグをＯＮにする。
【００５６】
続く状態Ｙ２では、表示媒体１０−４にて第２の操作が行われている。このとき、テーブル上の表示媒体１０−１のフラグがＯＮになっている。
【００５７】
そのため、続く状態Ｙ３では、制御部４０は、表示媒体１０−１に表示されていた情報Ａを表示媒体１０−４に表示する。また、表示媒体１０−４は、表示媒体１０−１の下層側に位置しているので、制御部４０は、表示媒体１０−１の下層に位置する表示媒体１０−２から表示媒体１０−４までの各表示媒体１０に表示されていた情報Ｂ，Ｃ，Ｄを、それぞれその上層に位置する表示媒体１０−１，１０−２，１０−３に表示する。また、制御部４０は、テーブル上で、表示媒体１０−１，１０−２，１０−３，１０−４にそれぞれ情報Ｂ，Ｃ，Ｄ，Ａを登録し、表示媒体１０−１のフラグをＯＦＦにする。
（２−３）動作例３
図９は、本実施形態の表示装置１の動作例３の流れを説明するフローチャートである。
【００５８】
図９に示すように、まず、制御部４０は、センサ１１が表示媒体１０−１〜１０−４のいずれかで第１の操作を検知したかを判断する（ステップＳ３１）。
【００５９】
ステップＳ３１において、第１の表示媒体１０で第１の操作が検知された場合（ステップＳ３１のＹｅｓ）、制御部４０は、記憶部３０に記憶されたテーブルにおいて、第１の表示媒体１０のフラグをＯＮにする（ステップＳ３２）。
【００６０】
次に、制御部４０は、センサ１１が表示媒体１０−１〜１０−４のいずれかで第２の操作を検知したかを判断する（ステップＳ３３）。
【００６１】
ステップＳ３３において、第２の表示媒体１０で第２の操作が検知された場合（ステップＳ３３のＹｅｓ）、制御部４０は、記憶部３０に記憶されたテーブルを参照して、フラグがＯＮになっている第１の表示媒体１０を特定する（ステップＳ３４）。
【００６２】
次に、制御部４０は、記憶部３０に記憶されたテーブルを参照して、第１の表示媒体１０に表示されていた情報を記憶部３０から読み出し、第２の表示媒体１０に対し上層に位置する第３の表示媒体、或いは、下層に位置する第３の表示媒体１０のいずれかに表示する（ステップＳ３５）。なお、上層または下層のどちらにするかの設定は、予め記憶部３０に記憶しておいてもよいし、操作者が上層、下層を指定する旨の操作であってもよい。
【００６３】
また、表示媒体１０の表面、裏面に表示部を実装している場合には、表面の表示部、裏面の表示部のいずれに表示するかについても設定情報として、予め記憶部３０に記憶するか、操作者が表示先とする表示部を指定する操作を行ってもよい。
【００６４】
次に、制御部４０は、第１の表示媒体１０の下層側に第３の表示媒体１０が位置していれば、第１の表示媒体１０の下層に位置する表示媒体１０から第３の表示媒体１０までの各表示媒体１０に表示されていた情報を、それぞれその上層に位置する表示媒体１０に表示する。また、制御部４０は、第１の表示媒体１０の上層側に第３の表示媒体１０が位置していれば、第１の表示媒体１０の上層に位置する表示媒体１０から第３の表示媒体１０までの各表示媒体１０に表示されていた情報を、それぞれその下層に位置する表示媒体１０に表示する（ステップＳ３６）。
【００６５】
その後、制御部４０は、記憶部３０に記憶されたテーブルを更新する（ステップＳ３７）。すなわち、制御部４０は、テーブル上で、第１の表示媒体１０から第３の表示媒体１０までの各表示媒体１０に、ステップＳ３５，３６で新たに表示した情報を登録し、また、第１の表示媒体１０のフラグをＯＦＦにする。
【００６６】
このように、動作例３においては、操作者が第１の表示媒体１０で第１の操作をし、第２の表示媒体１０で第２の操作をした場合、第１の表示媒体１０に表示していた情報を、第２の表示媒体１０の上層または下層に位置する表示媒体１０に移動させることができる。さらに、第３の表示媒体１０に表示されていた情報と第３の表示媒体１０の上層側または下層側に位置する各表示媒体１０に表示されていた情報を、それぞれその上層または下層に位置する表示媒体１０にずらすことができる。
【００６７】
以下、動作例３の具体例について、図１０Ａおよび図１０Ｂを参照して説明する。なお、図１０Ａにおいては、第１の表示媒体１０に表示していた情報を、第２の表示媒体１０の上層に位置する第３の表示媒体１０に表示する旨の設定が記憶部３０に記憶されているものとする。また、図１０Ｂにおいては、第１の表示媒体１０に表示していた情報を、第２の表示媒体１０の下層に位置する第３の表示媒体１０に表示する旨の設定が記憶部３０に記憶されているものとする。
【００６８】
図１０Ａに示すように、状態Ｚ１１では、表示媒体１０−１，１０−２，１０−３，１０−４には、それぞれ情報Ａ，Ｂ，Ｃ，Ｄが表示されている。この状態で、表示媒体１０−１にて第１の操作が行われると、制御部４０は、テーブル上の表示媒体１０−１のフラグをＯＮにする。
【００６９】
続く状態Ｚ１２では、表示媒体１０−４にて第２の操作が行われている。このとき、テーブル上の表示媒体１０−１のフラグがＯＮになっている。
【００７０】
そのため、続く状態Ｚ１３では、制御部４０は、表示媒体１０−１に表示されていた情報Ａを、表示媒体１０−４の上層に位置する表示媒体１０−３に表示する。また、表示媒体１０−３は、表示媒体１０−１の下層側に位置しているので、制御部４０は、表示媒体１０−１の下層に位置する表示媒体１０−２から表示媒体１０−３までの各表示媒体１０に表示されていた情報Ｂ，Ｃを、それぞれその上層に位置する表示媒体１０−１，１０−２に表示する。また、制御部４０は、テーブル上で、表示媒体１０−１，１０−２，１０−３にそれぞれ情報Ｂ，Ｃ，Ａを登録し、表示媒体１０−１のフラグをＯＦＦにする。
【００７１】
なお、図１０Ａにおいて、第２の操作が表示媒体１０−１にて行われた場合、表示媒体１０−１の上層には何らの表示媒体１０も存在しない。この場合、表示媒体１０−１自身に表示するか、表示媒体１０−１の下層の表示媒体１０−２に表示するかの設定は、予め記憶部３０に記憶しておく。また、記憶されている設定に対応する表示媒体が存在しない場合には、表示先用とする表示媒体がない旨の注意表示をしてもよい。
【００７２】
一方、図１０Ｂに示すように、状態Ｚ２１でも、表示媒体１０−１，１０−２，１０−３，１０−４には、それぞれ情報Ａ，Ｂ，Ｃ，Ｄが表示されている。この状態で、表示媒体１０−４にて第１の操作が行われると、制御部４０は、テーブル上の表示媒体１０−４のフラグをＯＮにする。
【００７３】
続く状態Ｚ２２では、表示媒体１０−１にて第２の操作が行われている。このとき、テーブル上の表示媒体１０−４のフラグがＯＮになっている。
【００７４】
そのため、続く状態Ｚ２３では、制御部４０は、表示媒体１０−４に表示されていた情報Ａを、表示媒体１０−１の下層に位置する表示媒体１０−２に表示する。また、表示媒体１０−２は、表示媒体１０−４の上層側に位置しているので、制御部４０は、表示媒体１０−４の上層に位置する表示媒体１０−３から表示媒体１０−２までの各表示媒体１０に表示されていた情報Ｃ，Ｂを、それぞれその下層に位置する表示媒体１０−４，１０−３に表示する。また、制御部４０は、テーブル上で、表示媒体１０−２，１０−３，１０−４にそれぞれ情報Ｄ，Ｂ，Ｃを登録し、表示媒体１０−４のフラグをＯＦＦにする。
【００７５】
なお、図１０Ｂにおいて、第２の操作が表示媒体１０−４にて行われた場合、表示媒体１０−４の下層には何らの表示媒体１０も存在しない。この場合、表示媒体１０−４自身に表示するか、表示媒体１０−４の上層の表示媒体１０−３に表示するかの設定は、予め記憶部３０に記憶しておく。
【００７６】
上述したように本実施形態においては、制御部４０は、第１の表示媒体１０にて第１の操作が行われ、その後に、第２の表示媒体１０にて第２の操作が行われた場合、第１の表示媒体１０に表示されていた情報を、第２の表示媒体１０または第２の表示媒体１０に隣接する上層または下層に位置する第３の表示媒体１０に表示する。
【００７７】
そのため、操作者は、特許文献１のようにボタン押下による煩雑な操作をしなくても、第１の表示媒体１０および第２の表示媒体１０に対する接触という直感的な操作によって、第１の表示媒体１０に表示していた情報を、第２の表示媒体１０または第２の表示媒体１０に応じた第３の表示媒体１０に表示することができる。
【００７８】
以上、実施形態を参照して本発明を説明したが、本発明は上記実施形態に限定されるものではない。本発明の構成や詳細には、本発明の範囲内で当業者が理解し得る様々な変更をすることができる。
【００７９】
例えば、上記実施形態において、第１の表示媒体１０にて第１の操作が行われた場合、制御部４０は、第２の表示媒体１０にて第２の操作が行われるまでの期間に、第１の表示媒体１０に、他の表示媒体１０と区別可能にするための所定の情報を表示しても良い。所定の情報としては、例えば、グレー画像が考えられる。ただし、グレー画像は、固定のグレー画像に限らず、第１の操作が行われる前に表示していた情報をグレー表示したものであっても良い。
【００８０】
なお、本発明の表示装置１にて行われる方法は、コンピュータに実行させるためのプログラムに適用してもよい。また、そのプログラムを記憶媒体に格納することも可能であり、ネットワークを介して外部に提供することも可能である。
【符号の説明】
【００８１】
１    表示装置
１０−１〜１０−４    表示媒体
１１    センサ
２０    保持部
３０    記憶部
４０    制御部
【図１】
2013068865.tif 000003
【図２】
2013068865.tif 000004
【図３】
2013068865.tif 000005
【図４】
2013068865.tif 000006
【図５】
2013068865.tif 000007
【図６】
2013068865.tif 000008
【図７】
2013068865.tif 000009
【図８】
2013068865.tif 000010
【図９】
2013068865.tif 000011
【図１０Ａ】
2013068865.tif 000012
【図１０Ｂ】
2013068865.tif 000013